(57)【要約】【課題】同一コンテンツを対象とした複数の放送番組を同期させて再生する場合に、ユーザが見たいオブジェクトを適応的に見ることができるようにする。【解決手段】受信した複数のコンテンツを同期させ、同期された複数のコンテンツから特定のオブジェクトの情報を抽出し、抽出された特定のオブジェクトの情報に応じてディスプレイにおけるコンテンツの表示状態を制御してコンテンツをディスプレイに表示させるようにして、特定のオブジェクトが良好に映っているコンテンツをユーザに明示できるようにする。【選択図】図１
2010166167.tif 000002
【特許請求の範囲】
【請求項１】
コンテンツを受信して映像を表示装置に表示させる表示制御装置であって、
複数の前記コンテンツを同期させる同期手段と、
前記同期手段により同期された前記複数のコンテンツから特定のオブジェクトの情報を抽出する抽出手段と、
前記抽出手段により抽出された前記特定のオブジェクトの情報に応じて前記表示装置における前記コンテンツの表示状態を制御して、前記コンテンツを前記表示装置に表示させる表示制御手段とを備えることを特徴とする表示制御装置。
【請求項２】
前記特定のオブジェクトを指定する指定手段をさらに備えることを特徴とする請求項１記載の表示制御装置。
【請求項３】
前記抽出手段は、前記コンテンツから抽出した各々のオブジェクトの情報と、前記指定手段から供給される前記特定のオブジェクトを指定する情報とを比較し、前記コンテンツにおける前記特定のオブジェクトを特定することを特徴とする請求項２記載の表示制御装置。
【請求項４】
前記抽出手段は、時間を計測する時間計測手段を有し、前記時間計測手段により計測される一定期間毎に、前記コンテンツから前記特定のオブジェクトの情報を抽出することを特徴とする請求項１〜３の何れか１項に記載の表示制御装置。
【請求項５】
前記表示制御手段は、前記コンテンツの各々から抽出された前記特定のオブジェクトの情報を比較する比較手段を有し、前記比較手段での比較結果に応じて前記表示装置における前記コンテンツの表示状態を制御することを特徴とする請求項１〜４の何れか１項に記載の表示制御装置。
【請求項６】
前記抽出手段により抽出された前記特定のオブジェクトの情報は、前記特定のオブジェクトの大きさの情報を含み、
前記比較手段は、前記特定のオブジェクトの大きさを比較することを特徴とする請求項５記載の表示制御装置。
【請求項７】
前記抽出手段により抽出された前記特定のオブジェクトの情報は、前記特定のオブジェクトの位置の情報を含み、
前記比較手段は、前記特定のオブジェクトの位置を比較することを特徴とする請求項５又は６記載の表示制御装置。
【請求項８】
前記抽出手段により抽出された前記特定のオブジェクトの情報は、前記特定のオブジェクトの向きの情報を含み、
前記比較手段は、前記特定のオブジェクトの向きを比較することを特徴とする請求項５〜７の何れか１項に記載の表示制御装置。
【請求項９】
前記表示制御手段は、前記抽出手段により抽出された前記特定のオブジェクトの情報に応じて、前記複数のコンテンツのなかの１つのコンテンツだけを前記表示装置に表示させることを特徴とする請求項１〜８の何れか１項に記載の表示制御装置。
【請求項１０】
前記表示制御手段は、前記表示装置における表示領域を分けて前記複数のコンテンツを同時に表示させるとともに、前記抽出手段により抽出された前記特定のオブジェクトの情報に応じて、前記複数のコンテンツのなかの１つのコンテンツを強調して表示させることを特徴とする請求項１〜８の何れか１項に記載の表示制御装置。
【請求項１１】
請求項１〜１０の何れか１項に記載の表示制御装置と、
前記表示制御装置による制御に従って、前記コンテンツを表示する表示装置とを備えることを特徴とする表示システム。
【請求項１２】
コンテンツを受信して映像を表示装置に表示させる表示制御方法であって、
複数の前記コンテンツを同期させる同期工程と、
前記同期工程にて同期された前記複数のコンテンツから特定のオブジェクトの情報を抽出する抽出工程と、
前記抽出工程にて抽出された前記特定のオブジェクトの情報に応じて前記表示装置における前記コンテンツの表示状態を制御して、前記コンテンツを前記表示装置に表示させる表示制御工程とを有することを特徴とする表示制御方法。
【請求項１３】
コンテンツを受信して映像を表示装置に表示させる表示制御に係る処理をコンピュータに実行させるためのプログラムであって、
複数の前記コンテンツを同期させる同期ステップと、
前記同期ステップにて同期された前記複数のコンテンツから特定のオブジェクトの情報を抽出する抽出ステップと、
前記抽出ステップにて抽出された前記特定のオブジェクトの情報に応じて前記表示装置における前記コンテンツの表示状態を制御して、前記コンテンツを前記表示装置に表示させる表示制御ステップとをコンピュータに実行させるためのプログラム。
【発明の詳細な説明】
【技術分野】
【０００１】
本発明は、表示制御装置、表示システム、及び表示制御方法に関し、詳しくは同時に受信する複数の映像コンテンツに係る表示制御技術に関する。
【背景技術】
【０００２】
放送方式の多様化に伴い、複数の放送方式に対応したデジタルテレビが広く普及している。すなわち、地上アナログ放送や地上デジタル放送だけでなく、ＢＳ（Broadcasting Satellite）デジタル放送やＣＳ（Communication Satellite）デジタル放送を受信して再生表示が可能な機種が普及している。
【０００３】
また、電波塔や衛星を経由した無線による放送だけでなく、有線を使用したケーブルテレビ放送方式も存在し、その受信装置も普及している。ケーブルテレビ放送では、地上デジタル放送を始めとする無線放送の再送信も行われている。さらに、地上波放送の地上デジタル放送への完全移行に伴い、地上デジタル放送の放送波が届かない地域や場所等に対するＩＰ（Internet Protocol）ネットワークを使用したＩＰ再送信放送が始まろうとしている。また、インターネット等のネットワークの普及に伴い、ネットワーク上に公開されたコンテンツをストリーミング配信にて受信し、再生する装置も普及してきている。
【０００４】
これらの放送を受信して再生するデジタルテレビは、それら放送信号以外に、外部接続されたハードディスクレコーダやＤＶＤ（Digital Versatile Disk）プレイヤーからの映像信号を受信して表示する機能を有するのが一般的である。また、複数のチューナーを搭載し、放送信号同士、及び或いは外部入力された映像を含めて、複数の映像に同時に再生して表示する装置も広く普及している。
【０００５】
また、放送方式の多様化に伴って放送番組に関しても多様化が進んでいるが、同一対象を撮影した映像を、異なる放送局で番組制作して異なる放送方式で放送を行うこともある。例えば、サッカーの国際試合等では、ときおり同一の試合を生放送で、地上波と衛星波で異なる放送局が同時に放送していたりする。その場合、当然解説者等が異なり、別な番組として放送されている。
【０００６】
このことは、今後さらなるインターネット等のネットワークの普及と、そのようなネットワークへのアクセス機能を持ち、ＩＰ放送を受信し表示するデジタルテレビの普及に伴い、増加していくと考えられる。例えば、スポーツの試合等の生放送に関しては、次のような放送波による放送とインターネット等のネットワークを利用した放送とが同時に行われることが広まっていくと考えられる。例えば、放送波による放送では従来通り試合全体を、或いは試合の流れに関係するシーンの映像を放送し、それとともにネットワーク上ではユーザが選択した個々の選手、或いはコーチやスタッフを中心とした映像を放送することが考えられる。これは特定のスポーツ等の放送だけではなく、オーケストラを始めとする音楽やミュージカル、その他多くのコンテンツにおいても同様であると考えられる。
【０００７】
ところが一方で、放送には遅延が存在する。例えば、生放送といわれるものであっても、ユーザがデジタルテレビを通して視聴している映像は、正確には現在の映像ではない。生放送用に撮影された映像の信号は、信号処理や信号伝送等の各種処理が施される。それらの各種処理に必要な時間が経過した後、初めてユーザは映像を視聴することができる。したがって、撮影に対してこの時間分だけ遅れて、ユーザは映像を視聴することになる。この遅延時間は、番組が放送される放送方式によって異なってくる。
【０００８】
図９に、放送方式（伝送方式）の違いによって生じる遅延時間の違いを図示する。
一般に、地上アナログ放送では、地上波伝送にかかる時間が遅延の主な要因であり、地上デジタル放送では、さらに各種デジタル処理にかかる時間が大きな要因として付加される。また、衛星放送（ＢＳデジタル放送やＣＳデジタル放送）では、さらに衛星への伝送時間及び衛星からの伝送時間が遅延の要因として付加される。また、ケーブルテレビ放送やＩＰ再送信放送では、再送信にかかる信号処理がさらに付加されるため、再送信ではない地上波放送や衛星放送よりも遅延時間が大きくなる。このように放送方式毎に遅延時間が異なり、さらに専用線を使用しないインターネットを使用したＩＰ放送では、遅延時間が変化する、所謂揺らぎと言った問題がある。
【０００９】
上述した放送方式による遅延時間の違いから起こる様々な課題を解決するための提案が行われている。例えば、衛星放送が地上波放送に対して伝送距離が長距離になることにより遅延時間が大きくなり、録画の開始が番組の開始に一致しないという課題がある。その課題を解決するため、録画予約された番組が衛星放送での番組である場合には、所定の時間遅延させてから録画を開始させることが提案されている（例えば、特許文献１参照。）。
【００１０】
また、例えばサイマル放送によって同時放送される同じ番組を、地上デジタル放送から地上アナログ放送に切り替えて再生する場合に、放送方式が異なるため、同一番組であるにもかかわらず、映像や音声が時間的にずれて不連続になるという課題がある。その課題を解決するため、２つの放送方式での再生出力の時間差を検出し、地上アナログ放送の再生を検出した時間差分遅延させることで、サイマル放送の切り替えの際でも、同じ番組を連続して再生可能とすることが提案されている（例えば、特許文献２参照。）。
【００１１】
【特許文献１】特開２００６−１２８７４１号公報
【特許文献２】特開２００６−２７０８２４号公報
【発明の開示】
【発明が解決しようとする課題】
【００１２】
ここで、例えば、受信した異なる放送方式の複数の放送番組が同一コンテンツを対象としており、それらの番組を同時に表示させて視聴する場合には、放送方式による遅延時間の違いによって次のような不都合が起こりうる。例えば、あるスポーツの試合が複数の放送番組で提供されており、これらを多画面表示により同時表示させて視聴しようとした場合、放送方式の違い等により番組間で遅延時間が異なり、ユーザは同期の取れない違和感のある映像を視聴しなければならなくなる。このような問題を解決する一つの方法として、同時に表示させる２つの映像の遅延時間を算出し、その２つの映像を同期させて再生することが提案されている。
【００１３】
しかしながら、上述のような同一コンテンツを対象とした複数の放送番組を同期させて同時に視聴する視聴形態において、ユーザが見たい場面やオブジェクトを適応的に見ることができず、この視聴形態のメリットを活かしきれていないという課題がある。
【００１４】
そもそも複数の放送番組を同時に見ることは人間にとって不可能である。これは多画面表示により複数の放送番組を同時に表示させたとしても解決できるものではない。このため、視聴者は複数の放送番組を見比べて、より好む方の放送番組、例えば興味対象のオブジェクトが映っている放送番組もしくはより良好に映っている放送番組を選択し視聴する。
【００１５】
この放送番組の選択においては、複数の映像を比較しなければ一つを選択することができないという課題がある。また、表示させる放送番組を順次切り替えて一画面を視聴する形態で映像の比較を行う場合には、放送番組の切り替えを行いつつ映像を比較しなければならならないという課題がある。また、放送番組を多画面表示により同時に表示させ視聴する形態で映像の比較を行う場合には、視点を移さなければならず、ユーザが映像に集中できないという課題がある。また、多画面表示により同時表示された映像を視聴している際に一つの映像に集中してしまうと、他方の映像の興味対象のオブジェクトを見逃してしまうという課題がある。
【００１６】
本発明は、このような事情に鑑みてなされたものであり、同一コンテンツを対象とした複数の放送番組を同期させて再生する場合に、ユーザが見たいオブジェクトを適応的に見ることができるようにすることを目的とする。
【課題を解決するための手段】
【００１７】
本発明に係る表示制御装置は、コンテンツを受信して映像を表示装置に表示させる表示制御装置であって、複数の前記コンテンツを同期させる同期手段と、前記同期手段により同期された前記複数のコンテンツから特定のオブジェクトの情報を抽出する抽出手段と、前記抽出手段により抽出された前記特定のオブジェクトの情報に応じて前記表示装置における前記コンテンツの表示状態を制御して、前記コンテンツを前記表示装置に表示させる表示制御手段とを備えることを特徴とする。
本発明に係る表示システムは、前記表示制御装置と、前記表示制御装置による制御に従って、前記コンテンツを表示する表示装置とを備えることを特徴とする。
本発明に係る表示制御方法は、コンテンツを受信して映像を表示装置に表示させる表示制御方法であって、複数の前記コンテンツを同期させる同期工程と、前記同期工程にて同期された前記複数のコンテンツから特定のオブジェクトの情報を抽出する抽出工程と、前記抽出工程にて抽出された前記特定のオブジェクトの情報に応じて前記表示装置における前記コンテンツの表示状態を制御して、前記コンテンツを前記表示装置に表示させる表示制御工程とを有することを特徴とする。
本発明に係るプログラムは、コンテンツを受信して映像を表示装置に表示させる表示制御に係る処理をコンピュータに実行させるためのプログラムであって、複数の前記コンテンツを同期させる同期ステップと、前記同期ステップにて同期された前記複数のコンテンツから特定のオブジェクトの情報を抽出する抽出ステップと、前記抽出ステップにて抽出された前記特定のオブジェクトの情報に応じて前記表示装置における前記コンテンツの表示状態を制御して、前記コンテンツを前記表示装置に表示させる表示制御ステップとをコンピュータに実行させることを特徴とする。
【発明の効果】
【００１８】
本発明によれば、コンテンツから抽出した特定のオブジェクトの情報に基づいて、表示装置でのコンテンツの表示状態が制御されコンテンツが表示されることにより、特定のオブジェクトが良好に映っているコンテンツをユーザに明示することができる。したがって、視聴者に比較や選択に係る行為を意識させることなく、同一コンテンツを扱う複数の放送番組のうち、興味対象のオブジェクトがより良好に映っている放送番組の視聴を促すことができる。
【発明を実施するための最良の形態】
【００１９】
以下、本発明の実施形態を図面に基づいて説明する。
【００２０】
（第１の実施形態）
本発明の第１の実施形態について説明する。
図１は、第１の実施形態に係る表示システムの概略構成例を示す図である。第１の実施形態に係る表示システムは、表示制御装置としての放送受信装置１０、及び表示装置としてのディスプレイ２０を有する。また、放送受信装置１０は、受信部Ａ１１、受信部Ｂ１２、同期部１３、映像処理部１４、表示制御部１５、オブジェクト指定部１７、及びオブジェクト抽出部１８を有する。
【００２１】
受信部Ａ１１及び受信部Ｂ１２は、各種放送を受信するものである。本実施形態では、受信部Ａ１１は、地上波アンテナにより放送波が受信される放送（地上波放送）を受信するものとし、受信部Ｂ１２は、ＢＳ／ＣＳアンテナにより放送波が受信される放送（衛星放送）を受信するものとする。受信部Ａ１１及び受信部Ｂ１２の各々は、受信した放送のコンテンツを同期部１３へ転送する。
【００２２】
同期部１３は、受信部Ａ１１から入力されたコンテンツと、受信部Ｂ１２から入力されたコンテンツとを同期させる同期処理を行う。同期処理終了後、同期部１３は、２つのコンテンツを映像処理部１４に転送するとともに、２つのコンテンツよりそれぞれ映像を分離してオブジェクト抽出部１８に転送する。
【００２３】
例えば、同期部１３による同期処理は、各コンテンツから復号されたそれぞれの音声情報を比較することにより２つのコンテンツの遅延時間をそれぞれ求め、その遅延時間に係る情報を使用して２つのコンテンツを同期させる。なお、これに限定されるものではなく、同期部１３における同期処理のアルゴリズムについては、任意のアルゴリズムを用いることができる。
【００２４】
映像処理部１４は、入力された２つのコンテンツ（詳細には、コンテンツにおける映像成分）の各々に対して必要な映像処理を施して映像表示部１５へ転送する。
【００２５】
オブジェクト指定部１７は、ユーザが興味対象として示した特定のオブジェクトを指定するオブジェクト指示情報が入力される。例えば、視聴するコンテンツがサッカー中継であるとすると、ユーザはリモコン等のキー入力により注目する選手名を入力する。この場合、その選手名がオブジェクト指示情報となる。オブジェクト指定部１７は、入力されたオブジェクト指示情報を記憶するとともに、そのオブジェクト指示情報をオブジェクト抽出部１８へ転送する。
【００２６】
ここで、上述した説明では、ユーザによるオブジェクト指示情報の入力方法（興味対象の特定のオブジェクトの指示方法）は、リモコン等を用いたキー入力としたが、これに限定されるものではなく他の方法であっても良い。例えば、ディスプレイ２０がタッチセンサーを具備し、ユーザが画面を触れることによって再生中のコンテンツに含まれるオブジェクトを特定のオブジェクトとして直接指示するようにしても良い。
【００２７】
オブジェクト抽出部１８は、同期部１３より入力された２つのコンテンツ（映像）のそれぞれに対してオブジェクト抽出処理を行い、コンテンツの各々からオブジェクトを抽出する。オブジェクト抽出部１８は、例えば、時間の計測を行う時間計測部１９を有しており、時間計測部１９による計測結果に応じて一定期間毎にオブジェクトの抽出を行う。なお、コンテンツからのオブジェクト抽出は、従来より様々な方法が存在しており、本発明においてはそれらの既知の方法を用いればよい。
【００２８】
図２は、オブジェクト抽出部１８によるオブジェクト抽出に係る処理手順の一例を示すフローチャートである。オブジェクト抽出部１８でのオブジェクト抽出処理は、同期部１３より入力された２つのコンテンツ（映像）の双方に対して行われる。
【００２９】
オブジェクト抽出処理を開始すると、オブジェクト抽出部１８は、まず、入力されたコンテンツ（映像）の１フレームに含まれるすべてのオブジェクトを抽出する（Ｓ１１）。次に、オブジェクト抽出部１８は、ステップＳ１１において抽出したすべてのオブジェクトから１つのオブジェクトを選択し（Ｓ１２）、選択したオブジェクトに対してフレーム上の特徴を抽出する（Ｓ１３）。ここで、フレーム上の特徴とは、例えば、オブジェクトの大きさ、フレーム上の表示位置等である。
【００３０】
次に、オブジェクト抽出部１８は、ステップＳ１２において選択したオブジェクトに所属する特徴を抽出する（Ｓ１４）。ここで、オブジェクトに所属する特徴とは、例えば、そのオブジェクトがサッカー選手である場合には、ユニフォームの色、背番号、及び顔が含まれるときはその向き等である。
【００３１】
次に、オブジェクト抽出部１８は、ステップＳ１４において抽出した情報と予め与えられた情報とを比較してオブジェクトの特定を行う（Ｓ１５）。例えば、ステップＳ１２において選択したオブジェクトがサッカー選手であれば、チームのユニフォームの色や選手の背番号等について情報を比較し、選手名の特定を行う。
【００３２】
次に、オブジェクト抽出部１８は、ステップＳ１５において特定されたオブジェクトの情報と、オブジェクト指定部１７から供給されるオブジェクト指示情報との比較を行う（Ｓ１６）。比較の結果、特定されたオブジェクトの情報とオブジェクト指示情報が一致しなかった場合には（Ｓ１７のＮＯ）、オブジェクト抽出部１８は、ステップＳ１１において抽出したオブジェクトのうち選択していないオブジェクトがあるか否かを判断する（Ｓ１８）。その判断の結果、未選択のオブジェクトがある場合には（Ｓ１８のＹＥＳ）、ステップＳ１２に戻り、オブジェクト抽出部１８は、残りのオブジェクトから１つのオブジェクトを再度選択して上述した処理を行う。一方、未選択のオブジェクトがない場合には（Ｓ１８のＮＯ）、オブジェクト抽出処理を終了する。
【００３３】
ステップＳ１６での比較の結果、特定されたオブジェクトの情報とオブジェクト指示情報とが一致した場合には（Ｓ１７のＹＥＳ）、オブジェクト抽出処理を終了する。このとき、オブジェクト抽出部１８は、オブジェクト指示情報が一致したオブジェクトから抽出したオブジェクト抽出情報を表示制御部１６へ転送する。オブジェクト抽出情報は、例えば、フレーム上のオブジェクトの位置及び大きさや、ユニフォームの色、背番号、及び顔の向き等である。なお、２つのコンテンツのうち一方のコンテンツについてオブジェクト抽出情報がない場合には、その一方のコンテンツに係るオブジェクト抽出情報は何も表示制御部１５へ転送されない。
【００３４】
表示制御部１５は、オブジェクト比較部１６を有する。表示制御部１５は、オブジェクト抽出部１８から供給されたオブジェクト抽出情報（特定のオブジェクトの情報）の比較をオブジェクト比較部１６により行う。また、表示制御部１５は、その比較結果に応じてディスプレイ２０における表示状態の制御を行い、コンテンツに係る映像をディスプレイ２０に表示させる。
【００３５】
供給されるオブジェクト抽出情報があり、かつ２つのコンテンツのオブジェクト抽出情報がそれぞれある場合には、予め定められたオブジェクト情報に関して２つのコンテンツのオブジェクト抽出情報がオブジェクト比較部１６により比較される。予め定められたオブジェクト情報とは、例えば、オブジェクトの大きさに係る情報である。オブジェクト比較部１６での比較により、２つのコンテンツ（映像）のうち、抽出されたオブジェクトが大きい方のコンテンツ（映像）が特定される。この比較結果に基づき、表示制御部１５は、映像処理部１４から供給された２つのコンテンツから１つを選択してディスプレイ２０に出力する。
【００３６】
また、供給されるオブジェクト抽出情報が１つのコンテンツ（映像）についてのみの場合には、オブジェクト比較部１６によるオブジェクト抽出情報の比較は行われない。このとき、表示制御部１５は、映像処理部１４から供給された２つのコンテンツから、供給されたオブジェクト抽出情報が含まれるコンテンツを選択してディスプレイ２０に出力する。
【００３７】
また、供給されるオブジェクト抽出情報がない場合には、表示制御部１５は、予め定められた優先度に従い、映像処理部１４から供給された２つのコンテンツから、優先度の高いコンテンツを選択してディスプレイ２０に出力する。
【００３８】
次に、第１の実施形態に係る表示システムにおいて、放送受信装置（表示制御装置）１０でコンテンツを受信しディスプレイ（表示装置）２０にコンテンツの映像が表示されるまでの処理の流れ、及び表示例について、図３及び図４を参照して説明する。
【００３９】
本実施形態に係る表示システムは、以下に説明するように、同一コンテンツを扱う複数の放送番組を同時に受信し、これらを同期させて視聴するものであって、複数の放送番組を１つのディスプレイで１つの画面で切り替えながら視聴するものである。図４には、本実施形態において、ディスプレイ２０での表示形態が移り変わっていく様子を図示している。図４に示すような移り変わりの様子を順を追って説明する。
【００４０】
図３に示すように表示システムの動作を開始すると、放送受信装置１０は、受信部Ａ１１及び受信部Ｂ１２にてコンテンツを受信する（Ｓ２１）。受信したコンテンツの一例を図４（Ａ）に示す。ここでは、受信部Ａ１１により受信したコンテンツを放送Ａ、受信部Ｂ１２により受信したコンテンツを放送Ｂとして示している。
【００４１】
次に、放送受信装置１０のオブジェクト抽出部１８が、それぞれのコンテンツからオブジェクトを抽出する（Ｓ２２）。図４（Ａ）において、抽出されるオブジェクトは、放送Ａではオブジェクト１０１であり、放送Ｂではオブジェクト１０２である。
【００４２】
このステップＳ２２の処理では、上述にように、オブジェクト抽出部１８が、さらに各々のオブジェクトの情報（特徴）を抽出し、また、オブジェクトの特定を行う。ここでは、オブジェクトの特徴として、ユニフォームの色及び背番号（胸番号）が抽出され、予め与えられた情報との比較の結果、選手名Ｘであると特定されたとする。また、例えば、そのオブジェクトの大きさがオブジェクト抽出情報として抽出される。ここで、オブジェクト指定部１７に保存された特定のオブジェクトを指定するオブジェクト指示情報が選手名Ｘであるとする。この場合には、オブジェクト抽出部１８は、抽出されたオブジェクトの情報とオブジェクト指示情報が一致するので、オブジェクト１０１及びオブジェクト１０２のオブジェクト抽出情報を表示制御部１５へ転送する。
【００４３】
次に、放送受信装置１０の表示制御部１５が、受信した２つのコンテンツのオブジェクト抽出情報に基づいて、各コンテンツにおける特定のオブジェクトの大きさを比較する（Ｓ２３）。図４（Ａ）に示す例では、オブジェクト１０１がオブジェクト１０２よりも大きいと判断されるため、表示制御部１５が、放送Ａを選択してディスプレイ２０に出力する（Ｓ２４）。このようにして、２つのコンテンツのなかの１つのコンテンツの映像だけをディスプレイ２０に表示させるようにし、図４（Ａ）に示すように、ディスプレイ２０の表示画面に放送Ａの映像１０３が表示される。
【００４４】
次に、放送受信装置１０のオブジェクト抽出部１８は、時間計測部１９により計測される時間を基に、所定の待機時間の間待機する（Ｓ２６）。なお、この待機の期間中も、放送受信装置１０は、オブジェクト抽出処理に係る部分を除く他の部分が動作し続けており、上述したステップＳ２３での判断に従い、ディスプレイ２０では放送Ａが継続して表示されている。
【００４５】
所定の待機時間が経過した後、放送受信装置１０は、再びコンテンツの受信（Ｓ２１）、オブジェクトの抽出（Ｓ２２）、及びオブジェクトの比較（Ｓ２３）を行う。図４（Ａ）に示すシーンから所定の待機時間が経過した後の各コンテンツの映像が、図４（Ｂ）に示すものであるとする。
【００４６】
図４（Ｂ）に示す例では、ステップＳ２２でのオブジェクトの抽出により、放送Ａにおいてオブジェクト１０４とオブジェクト１０５が抽出され、放送Ｂにおいてオブジェクト１０６が抽出される。また、ステップＳ２３でのオブジェクトの比較では、図４（Ａ）に示した例と同様にして、オブジェクト１０４の大きさとオブジェクト１０６の大きさとの比較が行われる。図４（Ｂ）に示す例では、オブジェクト１０４とオブジェクト１０６とは大きさに差がないことから、表示制御部１５は、予め設定された優先順位に従って放送Ａを選択してディスプレイ２０に出力する（Ｓ２４）。このようにして、図４（Ｂ）に示すように、ディスプレイ２０の表示画面に放送Ａの映像１０７が表示される。
【００４７】
次に、放送受信装置１０のオブジェクト抽出部１８は、再び時間計測部１９により計測される時間を基に、所定の待機時間の間待機する（Ｓ２６）。所定の待機時間が経過した後、放送受信装置１０は、再びコンテンツの受信（Ｓ２１）、オブジェクトの抽出（Ｓ２２）、及びオブジェクトの比較（Ｓ２３）を行う。図４（Ｂ）に示すシーンから所定の待機時間が経過した後の各コンテンツの映像が、図４（Ｃ）に示すものであるとする。
【００４８】
図４（Ｃ）に示す例では、ステップＳ２２でのオブジェクトの抽出により、放送Ａにおいてオブジェクト１０８とオブジェクト１０９が抽出され、放送Ｂにおいてオブジェクト１１０が抽出される。また、ステップＳ２３でのオブジェクトの比較では、同様にして、オブジェクト１０８の大きさとオブジェクト１１０の大きさとの比較が行われる。図４（Ｃ）に示す例では、オブジェクト１１０がオブジェクト１０８よりも大きいと判断されるため、表示制御部１５が、放送Ｂを選択してディスプレイ２０に出力する（Ｓ２５）。このようにして、図４（Ｃ）に示すように、ディスプレイ２０の表示画面に放送Ｂの映像１１１が表示される。
【００４９】
以上、第１の実施形態によれば、興味対象として示された特定のオブジェクトの情報をコンテンツの各々から抽出して特定のオブジェクトの大きさを比較し、大きい方のオブジェクトが含まれるコンテンツを選択し、その映像をディスプレイに表示させる。これにより、比較や選択に係る行為をユーザに意識させることなく、２つのコンテンツのうち特定のオブジェクトが大きく映っているコンテンツの映像を表示させることができる。したがって、ユーザは見たいオブジェクトが良好に映っているコンテンツを容易に見ることができるようになる。
【００５０】
（第２の実施形態）
次に、本発明の第２の実施形態について説明する。
第２の実施形態に係る表示システムの構成は、図１に示した第１の実施形態に係る表示システムの構成と同様であり、その説明は省略する。
【００５１】
第２の実施形態に係る表示システムにおいて、放送受信装置（表示制御装置）１０でコンテンツを受信しディスプレイ（表示装置）２０にコンテンツの映像が表示されるまでの処理の流れ、及び表示例について、図５及び図６を参照して説明する。
【００５２】
本実施形態に係る表示システムは、以下に説明するように、同一コンテンツを扱う複数の放送番組を同時に受信し、これらを同期させて視聴するものであって、複数の放送番組を１つのディスプレイで表示領域を複数に分け同時に表示し視聴するものである。図６には、本実施形態において、ディスプレイ２０での表示形態が移り変わっていく様子を図示している。図６に示すような移り変わりの様子を順を追って説明する。
【００５３】
図５に示すように表示システムの動作を開始すると、放送受信装置１０は、受信部Ａ１１及び受信部Ｂ１２にてコンテンツを受信する（Ｓ３１）。図６（Ａ）は、受信した２つのコンテンツの映像の表示例を示している。図６（Ａ）において、ディスプレイ２０の表示画面には、受信部Ａ１１により受信したコンテンツである放送Ａに係る映像２０１と、受信部Ｂ１２により受信したコンテンツである放送Ｂに係る映像２０２とが同時に表示されている。すなわち、本実施形態では、ディスプレイ２０内の表示領域を複数に分けて、異なる表示領域に各コンテンツの映像を同時に表示させる、いわゆる多画面表示によってコンテンツの映像が表示される。
【００５４】
コンテンツの受信後、放送受信装置１０のオブジェクト抽出部１８が、それぞれのコンテンツからオブジェクトを抽出する（Ｓ３２）。図６（Ａ）に示す例において、抽出されるオブジェクトは、放送Ａに係る映像２０１ではオブジェクト２０３であり、放送Ｂに係る映像２０２ではオブジェクト２０４である。
【００５５】
このステップＳ３２の処理では、第１の実施形態と同様に、オブジェクト抽出部１８が、さらに各々のオブジェクトの情報（特徴）を抽出し、また、オブジェクトの特定を行う。ここでは、オブジェクトの特徴として、ユニフォームの色及び背番号（胸番号）が抽出され、予め与えられた情報との比較により、選手名Ｘであると特定されたとする。また、例えば、そのオブジェクトの大きさがオブジェクト抽出情報として抽出される。ここで、オブジェクト指定部１７に保存された特定のオブジェクトを指定するオブジェクト指示情報が選手名Ｘであるとする。この場合には、オブジェクト抽出部１８は、抽出されたオブジェクトの情報とオブジェクト指示情報が一致するので、オブジェクト２０３とオブジェクト２０４のオブジェクト抽出情報を表示制御部１５へ転送する。
【００５６】
次に、放送受信装置１０の表示制御部１５が、受信した２つのコンテンツのオブジェクト抽出情報に基づいて、例えば各コンテンツにおける特定のオブジェクトの大きさを比較する（Ｓ３３）。図６（Ａ）に示す例では、オブジェクト２０３がオブジェクト２０４よりも大きいと判断されるので、表示制御部１５が、放送Ａに係る映像２０１を放送Ｂに係る映像２０２よりも強調してディスプレイ２０にて表示させる（Ｓ３４）。ここでは、強調表示の方法として、映像に太枠をつけ、言い換えれば強調する映像を表示する表示領域を太枠で囲み表示する方法とした。このように強調して表示させることにより、視聴者の興味対象がどちらの映像でより大きくフレーム上で表示されているかを、視聴者に対して明示的に示すことができ、その映像の視聴を促すことができる。
【００５７】
次に、放送受信装置１０のオブジェクト抽出部１８は、時間計測部１９により計測される時間を基に、所定の待機時間の間、待機する（Ｓ３７）。この待機の期間中も、放送受信装置１０は、オブジェクト抽出処理に係る部分を除く他の部分が動作し続けており、上述したステップＳ３３での判断に従い、ディスプレイ２０では継続して放送Ａに係る映像が強調表示されている。
【００５８】
所定の待機時間が経過した後、放送受信装置１０は、再びコンテンツの受信（Ｓ３１）、オブジェクトの抽出（Ｓ３２）、及びオブジェクトの比較（Ｓ３３）を行う。図６（Ｂ）は、図６（Ａ）に示したシーンから所定の待機時間が経過した後に受信した２つのコンテンツの映像の表示例を示している。
【００５９】
図６（Ｂ）に示す例では、ステップＳ３２でのオブジェクトの抽出により、放送Ａに係る映像２０５においてオブジェクト２０７とオブジェクト２０８が抽出され、放送Ｂに係る映像２０６においてオブジェクト２０９が抽出される。また、ステップＳ３３でのオブジェクトの比較では、図６（Ａ）に示した例と同様にして、オブジェクト２０７の大きさとオブジェクト２０９の大きさとの比較が行われる。図６（Ｂ）に示す例では、オブジェクト２０７とオブジェクト２０９とは大きさに差がないことから、表示制御部１５の制御による一方の映像の強調表示は行われず、放送Ａに係る映像２０５と放送Ｂに係る映像２０６とが同様の表示形態で表示される（Ｓ３６）。
【００６０】
次に、放送受信装置１０のオブジェクト抽出部１８は、再び時間計測部１９により計測される時間を基に、所定の待機時間の間待機する（Ｓ３７）。所定の待機時間が経過した後、放送受信装置１０は、再びコンテンツの受信（Ｓ３１）、オブジェクトの抽出（Ｓ３２）、及びオブジェクトの比較（Ｓ３３）を行う。図６（Ｃ）は、図６（Ｂ）に示したシーンから所定の待機時間が経過した後に受信した２つのコンテンツの映像の表示例を示している。
【００６１】
図６（Ｃ）に示す例では、ステップＳ３２でのオブジェクトの抽出により、放送Ａに係る映像２１０においてオブジェクト２１２とオブジェクト２１３が抽出され、放送Ｂに係る映像２１１においてオブジェクト２１４が抽出される。また、ステップＳ３３でのオブジェクトの比較では、同様にして、オブジェクト２１２の大きさとオブジェクト２１４の大きさとの比較が行われる。図６（Ｃ）に示す例では、オブジェクト２１４がオブジェクト２１２よりも大きいと判断されるので、表示制御部１５が、放送Ｂに係る映像２１１を放送Ａに係る映像２１０よりも強調してディスプレイ２０にて表示させる（Ｓ３５）。
【００６２】
以上、第２の実施形態によれば、興味対象として示された特定のオブジェクトの情報をコンテンツの各々から抽出して特定のオブジェクトの大きさを比較し、大きい方のオブジェクトが含まれるコンテンツの映像を強調して表示させる。これにより、比較や選択に係る行為をユーザに意識させることなく、２つのコンテンツのうち特定のオブジェクトが大きく映っているコンテンツの映像を強調して表示し、ユーザに視聴を促すことができる。したがって、ユーザは見たいオブジェクトが良好に映っているコンテンツを容易に見ることができるようになる。
また、表示領域を分けて２つのコンテンツを同時に表示させるとともに、特定のオブジェクトが大きく映っているコンテンツを強調して表示させることにより、臨場感を失うことなく、ユーザが特定のオブジェクトを追い続けて視聴することが可能になる。
【００６３】
なお、上述した説明では、コンテンツの強調表示方法として、１つのコンテンツの映像に太枠をつけて表示する方法を一例として示したが、他の強調表示方法を適用しても良いいことは言うまでもない。例えば、他の強調表示方法として、図７に示すように、１つのコンテンツの映像を他のコンテンツの映像よりも大きく表示する方法が考えられる。なお、図７においては、図６に示した構成要素と対応する構成要素に同一の符号を付している。
【００６４】
また、上述した第１及び第２の実施形態においては、受信する放送を地上波アンテナにより受信される放送、及びＢＳ/ＣＳアンテナにより受信される放送としたが、これに限定されるものではない。その他の放送、例えば地上デジタル放送、ケーブルテレビ放送、ＩＰ放送等を受信しても構わないことは言うまでもない。また、受信する複数の放送が、上述のどの組み合わせでも構わないことは言うまでもない。
また、第１及び第２の実施形態においては、放送受信装置１０が２つの放送を受信するものとしているが、２つ以上、いくつの放送を受信しても構わないことは言うまでもない。
【００６５】
また、第１及び第２の実施形態では、表示制御部１５は、オブジェクト抽出情報を基に特定のオブジェクトの大きさを比較し、大きい方のオブジェクトを含むコンテンツの映像を選択又は強調して表示させるようにしているが、これに限定されるものではない。オブジェクト抽出情報に含まれる他の情報を比較に用いても構わないことは言うまでもない。
【００６６】
例えば、オブジェクト抽出情報のうち、特定のオブジェクトのフレーム上の位置を比較に用い、特定のオブジェクトの位置がより中央に近いコンテンツを選択又は強調し、ディスプレイ２０に表示させるようにしても良い。また、例えば、オブジェクト抽出情報のうち、特定のオブジェクトの向き（人物であれば顔の向き等）を比較に用い、特定のオブジェクトがより正面を向いている方のコンテンツを選択又は強調し、ディスプレイ２０に表示させるようにしても良い。
【００６７】
（本発明の他の実施形態）
上述した実施形態の機能を実現するべく各種のデバイスを動作させるように、該各種デバイスと接続された装置又はシステム内のコンピュータ（ＣＰＵ又はＭＰＵ）に対し、前記実施形態の機能を実現するためのソフトウェアのプログラムを供給する。そして、そのシステム又は装置のコンピュータに格納されたプログラムに従って前記各種デバイスを動作させることによって実施したものも、本発明の範疇に含まれる。
また、この場合、前記ソフトウェアのプログラム自体が上述した実施形態の機能を実現することになり、そのプログラム自体は本発明を構成する。また、そのプログラムをコンピュータに供給するための手段、例えばかかるプログラムを格納した記録媒体は本発明を構成する。かかるプログラムを記憶する記録媒体としては、例えばフレキシブルディスク、ハードディスク、光ディスク（ＣＤ、ＤＶＤ等）、光磁気ディスク（ＭＯ等）、磁気テープ、不揮発性のメモリカード、ＲＯＭ等を用いることができる。
また、供給されたプログラムがコンピュータにて稼働しているオペレーティングシステム又は他のアプリケーションソフト等と共同して上述の実施形態の機能が実現される場合にもかかるプログラムは本発明の実施形態に含まれることは言うまでもない。
さらに、供給されたプログラムがコンピュータに係る機能拡張ボードや機能拡張ユニットに備わるメモリに格納された後、そのプログラムの指示に基づいてその機能拡張ボード等に備わるＣＰＵ等が実際の処理の一部又は全部を行う。その処理によって上述した実施形態の機能が実現される場合にも本発明に含まれることは言うまでもない。
【００６８】
例えば、第１及び第２の実施形態に示した表示制御装置（表示システム）は、図８に示すようなコンピュータ機能８００を有し、そのＣＰＵ８０１により第１及び第２の実施形態での動作が実施される。
コンピュータ機能８００は、図８に示すように、ＣＰＵ８０１と、ＲＯＭ８０２と、ＲＡＭ８０３とを備える。また、操作部（ＣＯＮＳ）８０９のコントローラ（ＣＯＮＳＣ）８０５と、ＣＲＴやＬＣＤ等の表示部としてのディスプレイ（ＤＩＳＰ）８１０のディスプレイコントローラ（ＤＩＳＰＣ）８０６とを備える。さらに、ハードディスク（ＨＤ）８１１、及びフレキシブルディスク等の記憶デバイス（ＳＴＤ）８１２のコントローラ（ＤＣＯＮＴ）８０７と、ネットワークインタフェースカード（ＮＩＣ）８０８とを備える。それら機能部８０１、８０２、８０３、８０５、８０６、８０７、８０８は、システムバス８０４を介して互いに通信可能に接続された構成としている。
ＣＰＵ８０１は、ＲＯＭ８０２又はＨＤ８１１に記憶されたソフトウェア、又はＳＴＤ８１２より供給されるソフトウェアを実行することで、システムバス８０４に接続された各構成部を総括的に制御する。すなわち、ＣＰＵ８０１は、上述したような動作を行うための処理プログラムを、ＲＯＭ８０２、ＨＤ８１１、又はＳＴＤ８１２から読み出して実行することで、第１及び第２の実施形態での動作を実現するための制御を行う。ＲＡＭ８０３は、ＣＰＵ８０１の主メモリ又はワークエリア等として機能する。
ＣＯＮＳＣ８０５は、ＣＯＮＳ８０９からの指示入力を制御する。ＤＩＳＰＣ８０６は、ＤＩＳＰ８１０の表示を制御する。ＤＣＯＮＴ８０７は、ブートプログラム、種々のアプリケーション、ユーザファイル、ネットワーク管理プログラム、及び第１及び第２の実施形態における前記処理プログラム等を記憶するＨＤ８１１及びＳＴＤ８１２とのアクセスを制御する。ＮＩＣ８０８はネットワーク８１３上の他の装置と双方向にデータをやりとりする。
【００６９】
なお、前記実施形態は、何れも本発明を実施するにあたっての具体化のほんの一例を示したものに過ぎず、これらによって本発明の技術的範囲が限定的に解釈されてはならないものである。すなわち、本発明はその技術思想又はその主要な特徴から逸脱することなく、様々な形で実施することができる。
【図面の簡単な説明】
【００７０】
【図１】本発明の第１の実施形態に係る表示システムの概略構成例を示す図である。
【図２】オブジェクト抽出処理の一例を示すフローチャートである。
【図３】第１の実施形態に係る表示システムの動作例を示すフローチャートである。
【図４】第１の実施形態におけるコンテンツ映像の表示例を示す図である。
【図５】第２の実施形態に係る表示システムの動作例を示すフローチャートである。
【図６】第２の実施形態におけるコンテンツ映像の表示例を示す図である。
【図７】第２の実施形態におけるコンテンツ映像の他の表示例を示す図である。
【図８】本実施形態に係る表示制御装置（表示システム）を実現可能なコンピュータ機能を示す図である。
【図９】放送方式の違いによって生じる遅延時間の違いを説明するための図である。
【符号の説明】
【００７１】
１０  放送受信装置（表示制御装置）
１１、１２  受信部
１３  同期部
１４  映像処理部
１５  表示制御部
１６  オブジェクト比較部
１７  オブジェクト指定部
１８  オブジェクト抽出部
１９  時間計測部
２０  ディスプレイ（表示装置）
【図１】
2010166167.tif 000003
【図２】
2010166167.tif 000004
【図３】
2010166167.tif 000005
【図４】
2010166167.tif 000006
【図５】
2010166167.tif 000007
【図６】
2010166167.tif 000008
【図７】
2010166167.tif 000009
【図８】
2010166167.tif 000010
【図９】
2010166167.tif 000011